(57)【要約】【課題】利用者が画質の調整を容易に行うことが可能な表示装置を提供する。【解決手段】液晶テレビ１００は、映像信号に基づいて映像を表示する表示部１７と、表示部１７の表示を制御する制御部とを備える。表示部１７の表示領域Ｒには、映像Ｐ３が縮小して表示される。縮小された映像Ｐ３は、画質を調整しようとする液晶テレビ１５４の画面サイズと同じ大きさの映像であり、表示部１７の表示領域Ｒの外周と接するように配置されている。【選択図】図５
2010286773.tif 000002
【特許請求の範囲】
【請求項１】
映像信号が入力される入力部と、
前記入力部に入力された映像信号に基づいて映像を表示する表示部と、
前記表示部の表示を制御する制御部と、を備えた表示装置において、
前記制御部は、前記表示部の表示領域の全体に映像を表示する第１の表示モードと、前記表示部の表示領域の一部に映像を縮小して表示する第２の表示モードとを切り替え可能に構成され、
前記第２の表示モード時において、縮小された映像は、前記表示部の表示領域の外周と接するように配置されている、ことを特徴とする表示装置。
【請求項２】
請求項１に記載の表示装置において、
前記制御部は、前記第１の表示モードから前記第２の表示モードに切り替える前に、縮小される映像の大きさを利用者に選択させるための第１選択画面を前記表示部に表示する、ことを特徴とする表示装置。
【請求項３】
請求項１または請求項２に記載の表示装置において、
前記制御部は、前記第１の表示モードから前記第２の表示モードに切り替える前に、縮小される映像が配置される位置を利用者に選択させるための第２選択画面を前記表示部に表示する、ことを特徴とする表示装置。
【請求項４】
請求項１ないし請求項３のいずれかに記載の表示装置において、
前記制御部は、前記第２の表示モード時において、前記入力部に入力される映像信号に基づいて、前記表示部に静止画像を表示する、ことを特徴とする表示装置。
【発明の詳細な説明】
【技術分野】
【０００１】
本発明は、画質の調整機能を備えた表示装置に関する。
【背景技術】
【０００２】
従来、明るさなどの画質を利用者が調整することが可能な表示装置が知られている。従来の表示装置は、映像を表示する表示部と、明るさなどの画質に関する各設定項目の値を記憶する記憶部とを備えている。そして、従来の表示装置では、利用者により各設定項目の値が調整されることによって、画質の調整が行われる。
【発明の概要】
【発明が解決しようとする課題】
【０００３】
しかしながら、上記した従来の表示装置では、表示装置の画質を、画質の調整が既にされた別の表示装置の画質に近づけるように調整する場合において、画質の調整がされる表示装置の画面サイズと、画質の調整が既にされた表示装置の画面サイズとが異なる場合には、画質の調整がされる表示装置に表示される映像の大きさと、画質の調整が既にされた表示装置に表示される映像の大きさとが異なり、両映像を比較しにくいので、画質の調整がしにくいという問題点がある。
【０００４】
なお、下記の特許文献１および２には、表示欠陥などを検査するための表示パネルの検査装置が記載されており、特許文献１では、表示パネルの一部に所定サイズの検査領域が表示されるようになっているが、いずれの文献にも、表示装置における画質の調整に関する構成については、開示も示唆もされていない。
【０００５】
本発明は、上述した課題を解決するものであって、その目的とするところは、利用者が画質の調整を容易に行うことが可能な表示装置を提供することである。
【課題を解決するための手段】
【０００６】
本発明の表示装置は、映像信号が入力される入力部と、入力部に入力された映像信号に基づいて映像を表示する表示部と、表示部の表示を制御する制御部と、を備える。制御部は、表示部の表示領域の全体に映像を表示する第１の表示モードと、表示部の表示領域の一部に映像を縮小して表示する第２の表示モードとを切り替え可能に構成され、第２の表示モード時において、縮小された映像は、表示部の表示領域の外周と接するように配置されている。
【０００７】
このように構成することによって、表示装置の画質を、画質の調整が既にされた別の表示装置の画質に近づけるように調整する場合において、画質の調整がされる表示装置の画面サイズと、画質の調整が既にされた表示装置の画面サイズとが異なる場合にも、第２の表示モードに切り替えることにより、表示部の表示領域の一部に映像を縮小して表示することができる。このため、画質の調整がされる表示装置に表示される映像と、画質の調整が既にされた表示装置に表示される映像との大きさの違いを小さくすることができるので、画質の調整がされる表示装置に表示される映像と、画質の調整が既にされた表示装置に表示される映像とを比較しやすくすることができる。また、縮小された映像を表示部の表示領域の外周と接するように配置することにより、画質の調整がされる表示装置に表示される映像と、画質の調整が既にされた表示装置に表示される映像とを近くに配置することができるので、画質の調整がされる表示装置に表示される映像と、画質の調整が既にされた表示装置に表示される映像とを比較しやすくすることができる。その結果、表示装置の画質を、画質の調整が既にされた別の表示装置の画質に近づけるように調整する場合に、利用者が画質の調整を容易に行うことができる。
【０００８】
上記表示装置において、制御部は、第１の表示モードから第２の表示モードに切り替える前に、縮小される映像の大きさを利用者に選択させるための第１選択画面を表示部に表示してもよい。
【０００９】
上記表示装置において、制御部は、第１の表示モードから第２の表示モードに切り替える前に、縮小される映像が配置される位置を利用者に選択させるための第２選択画面を表示部に表示してもよい。
【００１０】
上記表示装置において、制御部は、第２の表示モード時において、入力部に入力される映像信号に基づいて、表示部に静止画像を表示してもよい。
【発明の効果】
【００１１】
本発明によれば、利用者が画質の調整を容易に行うことが可能な表示装置を提供することができる。
【先行技術文献】
【特許文献】
【００１２】
【特許文献１】特開２００６−５３０９７号公報
【特許文献２】特開２００６−８４１８８号公報
【図面の簡単な説明】
【００１３】
【図１】本発明の一実施形態による液晶テレビの全体構成を示した斜視図である。
【図２】図１の液晶テレビの全体構成を示したブロック図である。
【図３】図１の液晶テレビの動作を説明するための斜視図である。
【図４】図１の液晶テレビの動作を説明するための斜視図である。
【図５】図１の液晶テレビの動作を説明するための斜視図である。
【発明を実施するための形態】
【００１４】
以下、本発明の実施形態について、図面を参照しながら説明する。なお、以下の実施形態では、表示装置の一例である液晶テレビジョン受像機（以下、「液晶テレビ」という）に本発明を適用した場合について説明する。
【００１５】
まず、図１および図２を参照して、本発明の一実施形態による液晶テレビ１００の構成について説明する。
【００１６】
本実施形態による液晶テレビ１００は、図１に示すように、テレビ本体１と、テレビ本体１を遠隔操作するリモコン２とを備えている。
【００１７】
テレビ本体１は、図２に示すように、チューナ１１と、信号処理部１２と、入力端子１３と、切替部１４と、映像処理部１５と、ＯＳＤ（On-Screen Display）部１６と、表示部１７と、出力端子１８と、受信部１９と、制御部２０とを含んでおり、これらはバス１ａを介して接続されている。
【００１８】
チューナ１１には、アンテナ１５１が接続されている。チューナ１１は、地上デジタル放送などのテレビジョン放送を受信するとともに、受信した放送信号を信号処理部１２に出力する。なお、チューナ１１は、本発明の「入力部」の一例である。
【００１９】
信号処理部１２は、デコーダなどを含み、チューナ１１から入力された信号に対して所定の処理を施す。そして、信号処理部１２は、所定の処理が施された映像信号を切替部１４に出力する。なお、信号処理部１２は、映像信号とともに音声信号も切替部１４に出力するが、簡略化のため、音声信号についての説明は省略する。
【００２０】
入力端子１３は、たとえば、ＨＤＭＩ（High-Definition Multimedia Interface）端子である。入力端子１３には、ＤＶＤプレーヤ１５２が接続されており、ＤＶＤプレーヤ１５２からＨＤＭＩケーブル１５３を介して映像信号が入力される。そして、入力端子１３は、入力された映像信号を切替部１４に出力する。なお、入力端子１３には、映像信号とともに音声信号も入力されるが、簡略化のため、音声信号についての説明は省略する。また、入力端子１３は、本発明の「入力部」の一例である。
【００２１】
切替部１４は、映像処理部１５および出力端子１８に入力される映像信号を切り替えるために設けられている。具体的には、切替部１４は、テレビ本体１が「テレビ表示」に設定されているときには、信号処理部１２から入力される映像信号を映像処理部１５および出力端子１８に出力する。また、切替部１４は、テレビ本体１が「外部入力」に設定されているときには、入力端子１３から入力される映像信号を映像処理部１５および出力端子１８に出力する。
【００２２】
映像処理部１５は、スケーリング回路などを含み、切替部１４から入力された映像信号に対して所定の処理を施す。そして、映像処理部１５は、所定の処理が施された映像信号を表示部１７に出力する。ＯＳＤ部１６は、ＯＳＤ信号を生成するとともに、生成したＯＳＤ信号を映像処理部１５から出力される映像信号に重畳して表示部１７に出力する。
【００２３】
表示部１７は、液晶パネル１７ａ（図１参照）やバックライト（図示省略）などを含み、映像処理部１５から入力される映像信号に基づいて映像を表示する。この表示部１７の画面サイズ（表示領域の大きさ）は、たとえば、３２型である。
【００２４】
出力端子１８は、たとえば、コンポジット端子であり、出力端子１８には、別の液晶テレビ１５４が接続されている。この出力端子１８は、切替部１４から入力される映像信号をコンポジットケーブル１５５を介して液晶テレビ１５４に出力する。
【００２５】
液晶テレビ１５４は、出力端子１８から入力される映像信号に基づいて映像を表示する。この液晶テレビ１５４の画面サイズは、液晶テレビ１００の画面サイズよりも小さく、たとえば、２０型である。
【００２６】
受信部１９は、フォトダイオードなどを含み、リモコン２から出力されるリモコン信号を受信する。リモコン２は、利用者からの操作指令を受け付ける操作ボタン２ａ（図１参照）や、操作指令に応じてリモコン信号を発信する発信部（図示省略）などを有する。
【００２７】
制御部２０は、ＣＰＵ２０ａと、ＲＯＭ２０ｂと、ＲＡＭ２０ｃとを含んでおり、映像処理部１５およびＯＳＤ部１６を用いて表示部１７の表示を制御する。ＣＰＵ２０ａは、テレビ本体１の動作を制御する。ＲＯＭ２０ｂは、書き換え可能な不揮発性のメモリであり、たとえば、フラッシュメモリである。ＲＯＭ２０ｂは、テレビ本体１の動作を制御するためのプログラムや、各種設定項目の設定値などを記憶する。ここで、各種設定項目には、画質に関する設定項目が含まれている。具体的には、設定項目として、「ブライトネス（明るさ）」、「コントラスト」、「カラー（色の濃さ）」、「ティント（色合い）」、および、「色温度」が含まれており、これらの設定値がＲＯＭ２０ｂに記憶されている。ＲＡＭ２０ｃは、たとえば、ＤＲＡＭであり、プログラムが実行される際のデータなどを一時的に記憶する。
【００２８】
液晶テレビ１００では、利用者が「ブライトネス（明るさ）」、「コントラスト」、「カラー（色の濃さ）」、「ティント（色合い）」、および、「色温度」の設定値を調整することにより、画質が調整される。また、液晶テレビ１００は、チューナ１１により受信した映像を表示する「テレビ表示」と、入力端子１３に入力された映像を表示する「外部入力」とを切り替え可能に構成されている。また、液晶テレビ１５４は、液晶テレビ１００と同様に、画質の調整が可能であり、「テレビ表示」と「外部入力」とを切り替えることが可能である。
【００２９】
次に、図１〜図５を参照して、本実施形態による液晶テレビ１００の動作について説明する。なお、以下の動作説明では、液晶テレビ１００（図１参照）の画質が既に調整されており、液晶テレビ１５４（図１参照）の画質が液晶テレビ１００の画質に近づくように調整される際の動作について説明する。
【００３０】
まず、液晶テレビ１００が「テレビ表示」に設定されるとともに、液晶テレビ１５４が「外部入力」に設定される。これにより、チューナ１１（図２参照）により受信した映像信号が映像処理部１５（図２参照）および出力端子１８（図２参照）に入力される。このため、液晶テレビ１００および１５４では、それぞれ、同じ映像信号に基づいて、図１に示すように、同じ内容の映像Ｐ１およびＰ２が表示される。このとき、液晶テレビ１００の画面サイズが３２型であり、液晶テレビ１５４の画面サイズが２０型であることから、この画面サイズの違いに起因して、液晶テレビ１００に表示される映像Ｐ１が、液晶テレビ１５４に表示される映像Ｐ２よりも大きくなる。
【００３１】
次に、利用者がリモコン２を操作することにより、液晶テレビ１００の表示部１７には、ＯＳＤ部１６（図２参照）により、図３に示すような選択画面Ｗ１が表示される。この選択画面Ｗ１は、液晶テレビ１００に縮小して表示される映像の大きさを利用者に選択させるための選択画面である。図３の例では、選択画面Ｗ１には、大きさの選択項目として、「１６型」、「２０型」、「２２型」、「２６型」、「２８型」、および、「３０型」が表示される。なお、選択画面Ｗ１は、本発明の「第１選択画面」の一例である。
【００３２】
次に、利用者がリモコン２を操作することにより、選択画面Ｗ１において、「２０型」が選択されると、表示部１７には、ＯＳＤ部１６により、図４に示すような選択画面Ｗ２が表示される。この選択画面Ｗ２は、縮小された映像が配置される位置を利用者に選択させるための選択画面である。図４の例では、選択画面Ｗ２には、映像が配置される選択項目として、「左下」および「右下」が表示される。なお、選択画面Ｗ２は、本発明の「第２選択画面」の一例である。
【００３３】
次に、利用者がリモコン２を操作することにより、選択画面Ｗ２において、「右下」が選択されると、映像処理部１５により、図５に示すように、映像が縮小された状態で、表示部１７の表示領域Ｒの右下に表示される。すなわち、液晶テレビ１００では、表示部１７の表示領域Ｒの全体に映像を表示する第１の表示モード（図１参照）から、表示部１７の表示領域Ｒの一部に映像を縮小して表示する第２の表示モード（図５参照）に切り替えられる。この第２の表示モードでは、表示領域Ｒにおいて、縮小された映像Ｐ３が表示される領域以外の領域は、黒表示される。なお、選択画面Ｗ２において、「左下」が選択されると、映像処理部１５により、映像が縮小された状態で、表示部１７の表示領域Ｒの左下に表示される。
【００３４】
この縮小された映像Ｐ３は、表示領域Ｒの外周と接するように配置される。具体的には、縮小された映像Ｐ３は、表示領域Ｒの右端および下端と接するように配置される。縮小された映像Ｐ３の大きさは、選択画面Ｗ１において選択された「２０型」であり、液晶テレビ１５４の画面サイズと同じである。すなわち、映像Ｐ３の大きさは、映像Ｐ２の大きさと等しい。
【００３５】
なお、縮小された映像Ｐ３の大きさは、選択画面Ｗ１において選択された大きさに基づいて決定される。たとえば、選択画面Ｗ１において、「２６型」が選択された場合には、縮小された映像の大きさが２６型になる。
【００３６】
次に、利用者がリモコン２を操作することにより、液晶テレビ１００に縮小して表示される映像Ｐ３と、液晶テレビ１５４に表示される映像Ｐ２とが静止する。具体的には、静止画像の映像信号が映像処理部１５および出力端子１８に入力される。そして、利用者により、液晶テレビ１５４の画質が液晶テレビ１００の画質に近づくように調整される。この調整は、リモコン（図示省略）を用いて、液晶テレビ１５４に表示される設定画面（図示省略）において行われる。
【００３７】
本実施形態では、上記のように、画質の調整が既にされた使用中の液晶テレビ１００に、画質の調整がされる液晶テレビ１５４の画面サイズと同じ大きさに縮小された映像Ｐ３を表示することによって、液晶テレビ１５４に表示される映像Ｐ２と、液晶テレビ１００に表示される映像Ｐ３とを比較しやすくすることができる。
【００３８】
また、本実施形態では、選択画面Ｗ１において、液晶テレビ１００に縮小して表示される映像の大きさを利用者に選択させることによって、たとえば、液晶テレビ１５４の画面サイズが２６型の場合には、液晶テレビ１００に縮小して表示される映像の大きさを２６型にすることができる。したがって、液晶テレビ１５４の画面サイズに応じて、液晶テレビ１００に縮小して表示される映像の大きさを選択することができるので、液晶テレビ１５４の画面サイズに関わらず、液晶テレビ１５４に表示される映像と、液晶テレビ１００に表示される映像とを比較しやすくすることができる。
【００３９】
また、本実施形態では、液晶テレビ１５４が液晶テレビ１００の右側に位置しているので、縮小された映像Ｐ３が表示領域Ｒの右下に表示されることによって、縮小された映像Ｐ３が液晶テレビ１５４の近くに配置される。これにより、液晶テレビ１５４に表示される映像Ｐ２と、液晶テレビ１００に表示される映像Ｐ３とを比較しやすくすることができる。
【００４０】
また、本実施形態では、選択画面Ｗ２において、縮小された映像が配置される位置を利用者に選択させることによって、たとえば、液晶テレビ１５４が液晶テレビ１００に対して左側に配置されていた場合には、縮小された映像を表示部１７の表示領域Ｒの左下に表示することができる。したがって、液晶テレビ１５４の位置に応じて、液晶テレビ１００に縮小して表示される映像の位置を選択することができるので、液晶テレビ１５４の位置に関わらず、液晶テレビ１５４に表示される映像と、液晶テレビ１００に表示される映像とを比較しやすくすることができる。
【００４１】
また、本実施形態では、液晶テレビ１００に縮小して表示される映像Ｐ３と、液晶テレビ１５４に表示される映像Ｐ２とが静止することによって、液晶テレビ１５４に表示される映像Ｐ２と、液晶テレビ１００に表示される映像Ｐ３とを比較しやすくすることができる。
【００４２】
その結果、液晶テレビ１５４の画質を、画質の調整が既にされた液晶テレビ１００の画質に近づけるように調整する場合に、利用者が液晶テレビ１５４の画質の調整を容易に行うことができる。
【００４３】
本発明は、上述した以外にも種々の実施形態を採用することができる。たとえば、上記実施形態では、表示装置の一例である液晶テレビ１００に本発明を適用する例を示したが、これに限らず、プラズマテレビなどのその他の表示装置に本発明を適用してもよい。
【００４４】
また、上記実施形態では、液晶テレビ１００に液晶テレビ１５４の画面サイズと同じ大きさに縮小された映像Ｐ３を表示する例を示したが、これに限らず、液晶テレビ１００に液晶テレビ１５４の画面サイズと異なる大きさに縮小された映像が表示されてもよい。
【００４５】
また、上記実施形態では、液晶テレビ１５４の画質が調整される際に、液晶テレビ１００が「テレビ表示」に設定される例を示したが、これに限らず、液晶テレビ１５４の画質が調整される際に、液晶テレビ１００が「外部入力」に設定されていてもよい。すなわち、ＤＶＤプレーヤ１５２から入力される映像信号に基づいて映像が表示されている状態で、画質の調整がされるようにしてもよい。
【００４６】
また、上記実施形態では、液晶テレビ１００の画質が既に調整されており、液晶テレビ１５４の画質が液晶テレビ１００の画質に近づくように調整される例を示したが、これに限らず、液晶テレビ１５４の画質が既に調整されており、液晶テレビ１００の画質が液晶テレビ１５４の画質に近づくように調整されるようにしてもよい。
【００４７】
また、上記実施形態では、入力端子１３にＤＶＤプレーヤ１５２が接続されるとともに、出力端子１８に比較される液晶テレビ１５４が接続される例を示したが、これに限らず、入力端子１３に比較される液晶テレビ１５４が接続されるようにしてもよい。
【００４８】
また、上記実施形態では、液晶テレビ１００が３２型であり、液晶テレビ１５４が２０型である例を示したが、これに限らず、本発明の液晶テレビの画面サイズが比較される液晶テレビの画面サイズよりも大きければよい。
【００４９】
また、上記実施形態では、選択画面Ｗ１には、大きさの選択項目として、「１６型」、「２０型」、「２２型」、「２６型」、「２８型」、および、「３０型」の６種類が表示される例を示したが、これに限らず、選択画面Ｗ１に、５種類以下または７種類以上の選択項目が表示されてもよい。また、選択項目として表示される大きさは、液晶テレビ１００の画面サイズよりも小さければよい。
【００５０】
また、上記実施形態では、選択画面Ｗ２には、映像が配置される選択項目として、「左下」および「右下」が表示される例を示したが、これに限らず、選択画面Ｗ２に、選択項目として、「左上」または「右上」などが表示されてもよい。すなわち、縮小された映像が配置される位置は、左下または右下に限らず、比較される液晶テレビ１５４の位置に応じて、表示領域の外周と接するように配置されていればよい。
【００５１】
また、上記実施形態では、出力端子１８の一例としてコンポジット端子を示したが、これに限らず、たとえば、ＨＤＭＩ端子を出力端子として用いてもよい。また、入力端子１３の一例としてＨＤＭＩ端子を示したが、これに限らず、たとえば、コンポジット端子を入力端子として用いてもよい。
【００５２】
また、上記実施形態では、液晶テレビ１００に縮小して表示される映像Ｐ３と、液晶テレビ１５４に表示される映像Ｐ２とが静止された後に、画質の調整が行われる例を示したが、これに限らず、液晶テレビ１００および１５４に動画が表示されている状態で、画質の調整が行われてもよい。
【００５３】
また、上記実施形態において、画質調整時に表示される画像データがＲＯＭ２０ｂに記憶され、その画像データに基づいて静止画像が表示されている状態で、画質の調整がされるようにしてもよい。
【符号の説明】
【００５４】
１１      チューナ（入力部）
１３      入力端子（入力部）
１７      表示部
２０      制御部
１００    液晶テレビ（表示装置）
【図１】
2010286773.tif 000003
【図２】
2010286773.tif 000004
【図３】
2010286773.tif 000005
【図４】
2010286773.tif 000006
【図５】
2010286773.tif 000007